(57)【要約】  眼の正の球面収差を増大させて眼の近方視力及び遠方視力の両方を向上させる、眼内レンズ・アセンブリ１００を開示する。眼内レンズ・アセンブリ１００は、眼の球面収差を増大させる凸状前面２１０及び凹状後面２２０を有する眼内レンズ１１０を含む。眼内レンズ１１０は、生物学的に適合性のある材料から構築される。眼内レンズ１１０は、眼の水晶体の代替として使用することができる。眼内レンズ１１０は、無水晶体眼若しくは有水晶体眼の前房又は後房内に設置することができる。
2007520322.tif 000002
【特許請求の範囲】
【請求項１】
眼の正の球面収差を増大させる眼内レンズ。
【請求項２】
前記眼の前記正の球面収差を少なくとも１ジオプタ増大させる、請求項１に記載の眼内レンズ。
【請求項３】
前記眼内レンズの屈折力が正である、請求項１に記載の眼内レンズ。
【請求項４】
凸凹レンズを構成する、請求項１に記載の眼内レンズ。
【請求項５】
正の曲率半径を有する前面と、
正の曲率半径を有する後面とを含む、請求項１に記載の眼内レンズ。
【請求項６】
前記前面の前記正の曲率半径が前記後面の前記正の曲率半径よりも小さい、請求項５に記載の眼内レンズ。
【請求項７】
前記眼内レンズが、プラス１．５（＋１．５）以上の形状係数「ｑ」を有しており、前記眼内レンズの前記前面の前記正の曲率半径をｒａ、前記眼内レンズの前記後面の前記正の曲率半径をｒｐとしたときに、前記形状係数「ｑ」が、次式：
ｑ＝（ｒｐ＋ｒａ）／（ｒｐ−ｒａ）
によって与えられる、請求項５に記載の眼内レンズ。
【請求項８】
前記前面の前記正の曲率半径が約３．１２ミリメートルであり、前記後面の前記正の曲率半径が約４．２ミリメートルである、請求項５に記載の眼内レンズ。
【請求項９】
ポリメチルメタクリレート（ＰＭＭＡ）から作製される、請求項１に記載の眼内レンズ。
【請求項１０】
シリコーン及びシリコーン・エラストマーのうちの１つから作製される、請求項１に記載の眼内レンズ。
【請求項１１】
生物学的に不活性なヒドロゲル材料、生物学的に不活性な親水性アクリルポリマー、生物学的に不活性なポリシロキサン、及び生物学的に不活性なポリスルホンのうちの１つから作製される、請求項１に記載の眼内レンズ。
【請求項１２】
アクリレートとメタクリレートとの生物学的に不活性なコポリマーから作製される、請求項１に記載の眼内レンズ。
【請求項１３】
折畳み可能な材料から作製される、請求項１に記載の眼内レンズ。
【請求項１４】
眼に導入可能な材料から作製される、請求項１に記載の眼内レンズ。
【請求項１５】
眼の正の球面収差を増大させる眼内レンズと、
前記眼内レンズから延びる、前記眼内レンズを前記眼の中で固定する少なくとも１つの支持部とを含む、眼内レンズ・アセンブリ。
【請求項１６】
前記眼内レンズ及び前記少なくとも１つの支持部が同一の材料から作製される、請求項１５に記載の眼内レンズ・アセンブリ。
【請求項１７】
前記眼内レンズが凸凹レンズを構成する、請求項１５に記載の眼内レンズ・アセンブリ。
【請求項１８】
前記眼内レンズが、正の曲率半径を有する前面と、正の曲率半径を有する後面とを含んでおり、
前記前面の前記正の曲率半径が前記後面の前記正の曲率半径よりも小さい、請求項１５に記載の眼内レンズ。
【請求項１９】
生物学的に適しているレンズ材料を提供するステップと、
正の曲率半径をもつ、前記レンズ材料の凸状前面を形成するステップと、
正の曲率半径をもつ、前記レンズ材料の凹状後面を形成して、眼内レンズを形成するステップとを含む、眼の正の球面収差を増大させる方法。
【請求項２０】
前記眼内レンズに連結された少なくとも１つの支持部を提供して、眼内レンズ・アセンブリを形成するステップと、
前記眼内レンズ・アセンブリを水晶体の代替として前記眼の中に設置するステップと、
前記眼内レンズによって前記眼の正の球面収差のレベルの増大をもたらすステップとをさらに含む、請求項１９に記載の方法。
【発明の詳細な説明】
【技術分野】
【０００１】
本発明は、一般に、眼内レンズに関し、より詳細には、眼の正の球面収差を増大させることによって遠方視力及び近方視力の両方を矯正する眼内レンズに関する。
【背景技術】
【０００２】
眼内レンズは、眼の水晶体が除去されるときに失われる屈折力の代わりとなるように、眼の中に外科的に埋め込まれる。眼の水晶体が損傷又は病変しているという理由で、水晶体の除去が必要になることがある。水晶体が眼から外科的に除去された後、水晶体の代わりに眼内レンズが外科的に埋め込まれる。
【０００３】
従来技術の眼内レンズは、通常、遠方視力を矯正するが、近方視力は矯正しない。若い有水晶体眼の調節幅に匹敵するものを生み出そうとして、多数の眼内レンズが設計されてきた。これらの試みは、成功していない。一般に、従来技術の遠近調節型眼内レンズ（ａｃｃｏｍｍｏｄａｔｉｎｇ  ｉｎｔｒａｏｃｕｌａｒ  ｌｅｎｓｅｓ）が約１ジオプタ（１．０Ｄ）の遠近調節しかもたらすことができないので、従来技術の遠近調節型眼内レンズでは、偽水晶体（ｐｓｅｕｄｏｐｈａｋｅ）が細かい字を読むことができない。
【０００４】
従来技術の多焦点眼内レンズは、多数の回折リング若しくは環状回折ゾーンを使用して機能する。しかし、多数の回折リング若しくは環状回折ゾーンは、光を回折する。回析は、夜間視力に関する問題を引き起こす。また、回析は、コントラスト感度に関する問題も引き起こす。
【０００５】
したがって、当該技術分野では、多数の回折リング若しくは環状回折ゾーンを使用せずに近方視力を向上できる眼内レンズが必要とされている。当該技術分野では、従来技術の眼内レンズによってもたらされるよりも高いレベルの近方視力をもたらすことができる眼内レンズが必要とされている。
【発明の開示】
【発明が解決しようとする課題】
【０００６】
前述した先行技術の欠陥に対処するために、本発明の主な目的は、眼の近方視力を向上させることができる眼内レンズを提供することである。
【課題を解決するための手段】
【０００７】
本発明の有利な一実施例は、眼内レンズと、第１の支持部と、第２の支持部とを備えた眼内レンズ・アセンブリを含む。第１の支持部及び第２の支持部は、眼内レンズに取り付けられ、眼の水晶体の代替として眼内レンズを眼の中で支持するために使用される。
【０００８】
眼内レンズは、凸状前面と凹状後面とを備えるように形成される。眼内レンズの凸状前面の曲率半径及び凹状後面の曲率半径は、該眼内レンズが眼に挿入された後で眼の球面収差が増大して近方視力を向上させるように選択される。
【０００９】
本発明の一目的は、眼の正の球面収差を増大させる眼内レンズを提供することである。
【００１０】
本発明の一目的は、また、眼の正の球面収差を少なくとも１ジオプタ増大させる眼内レンズを提供することである。
【００１１】
本発明の他の目的は、凸凹レンズを構成する眼内レンズを提供することである。
【００１２】
本発明の他の目的は、眼の近方視力及び遠方視力の両方を向上させる眼内レンズを提供することである。
【００１３】
以上では、以下の発明の詳細な説明を当業者がよりよく理解できるように、本発明の特徴及び技術的利点についてかなり大まかに概説した。以下では、本発明の特許請求の範囲の主題を成す、本発明の追加の特徴及び利点について説明する。当業者は、本発明と同一の目的を実施する他の構造を修正又は設計する基礎として、ここに開示の概念及び特定の実施例を容易に使用できることを理解するはずである。また、当業者は、そのような同等の構造が、最も広い形態の本発明の精神及び範囲から逸脱しないことに気付くはずである。
【００１４】
以下の実施例を始める前に、本特許文献全体にわたって使用する特定の語句の定義を述べることが有利であろう。用語「含める」及び「含む」並びにそれらの派生語は、制限なしに含めることを意味しており、用語「又は」には、及び／又は、の意味が含まれており、語句「関係付けられた」及び「それらに関係付けられた」並びにそれらの派生語は、含める、中に含まれる、相互連結する、収容する、中に収容された、連結する、結合する、連通可能な、協働する、挟み込む、並置する、非常に近くにある、結び付けられた、有する、特性を有するなどを意味することがある。特定の語句についての定義は、本特許文献全体にわたって与えられており、ほとんどの場合ではないとしても、多くの場合、かかる定義が、そのような定義された語句の従来の使用にも将来の使用にも当てはまることが、当業者には理解されるはずである。
【００１５】
本発明におけるすべての光学表面についての説明では、通常の基準を使用している。すなわち、（１）光は左側から来るものとする、（２）左側を向いた凸面の半径を正と見なす。
【００１６】
本発明及びその利点についてより完全に理解するために、ここで、添付図面と併せて以下の説明に言及する。図面では、類似の参照番号は、類似の部品を表す。
【実施例】
【００１７】
本特許文献で本発明の原理を説明するために使用される図１〜図３及び様々な実施例は、単に説明を目的としたものにすぎず、決して本発明の範囲を制限するものと解釈すべきではない。適切に構成されたいずれのタイプの眼内レンズ・アセンブリにおいても本発明の原理を実施できることが、当業者には理解されよう。
【００１８】
図１は、本発明の眼内レンズ・アセンブリ１００の有利な一実施例の平面図を示す。図２は、本発明の眼内レンズ・アセンブリ１００の有利な一実施例の側面図を示す。眼内レンズ・アセンブリ１００は、眼内レンズ１１０（光学部１１０とも呼ばれる）と、第１の支持部１２０と、第２の支持部１３０とを含む。
【００１９】
眼内レンズ１１０は、生物学的に適合性のある材料から構築される。有利な一実施例では、眼内レンズ１１０は、正の屈折力を有するポリメチルメタクリレート（ＰＭＭＡ）から構築される。他の有利な実施例では、眼内レンズ１１０は、アクリレートとメチルアクリレートとの生物学的に不活性なコポリマーから構築される。眼内レンズ１１０は、また、シリコーン、ヒドロゲル、ヒドロキシエチルメタクリレートなどの親水性アクリルポリマー、ポリシロキサン、及び生物学的に不活性な他の同様の種類の材料から構築することもできる。眼内レンズ１１０は、射出成形又は旋盤切削法を使用して作ることができる。
【００２０】
有利な一実施例では、眼内レンズ１１０は、折畳み可能な材料から構築される。他の有利な実施例では、眼内レンズ１１０は、眼に導入可能な材料から構築される。
【００２１】
第１の支持部１２０及び第２の支持部１３０は、眼内レンズ１１０に取り付けられる。第１の支持部１２０及び第２の支持部１３０は、眼内レンズ１１０を眼の水晶体嚢又は毛様溝内で支持するために使用される。第１の支持部１２０及び第２の支持部１３０は、ポリプロピレン又はポリメチルメタクリレート（ＰＭＭＡ）から構築することができる。図１及び図２に示した第１の支持部１２０及び第２の支持部１３０は、眼内レンズ１１０を眼の中で固定する例示的な構造である。眼内レンズ１１０は、いずれか適切なタイプの構造によって眼の水晶体嚢内に固定することができる。
【００２２】
本発明の代替的な一実施例では、第１の支持部１２０及び第２の支持部１３０と眼内レンズ１１０とが、単一体として形成される。代替的な実施例では、第１の支持部１２０及び第２の支持部１３０は、眼内レンズ１１０に連結された別個の要素ではない。代わりに、第１の支持部１２０及び第２の支持部１３０は、眼内レンズ１１０と同一のレンズ材料片から形成される。
【００２３】
眼内レンズ１１０の直径Ｄは、図１に示されている。直径Ｄについての典型的な値は、約５ミリメートル（５．０ｍｍ）である。第１の支持部１２０の厚さＴは、図２に示されている。厚さＴについての典型的な値は、約０．５ミリメートル（０．５ｍｍ）である。第２の支持部１３０は、第１の支持部１２０と同じ厚さＴを有する。第１の支持部１２０の端部と第２の支持部１３０の端部との間の距離Ｋは、図１に示されている。距離Ｋについての典型的な値は、約１２ミリメートル（１２．０ｍｍ）である。
【００２４】
図２に示したように、眼内レンズ１１０の前面２１０は、凸面を有する。凸状前面２１０の曲率半径は、「ｒａ」で表される。やはり図２に示したように、眼内レンズ１１０の後面２２０は、凹面を有する。凹状後面２２０の曲率半径は、「ｒｐ」で表される。眼内レンズ１１０は、１つの凸面２１０と１つの凹面２２０とを有するので、また、「凸凹光学部１１０」とも呼ばれる。
【００２５】
眼内レンズ１１０の凸状前面２１０及び凹状後面２２０は、該眼内レンズ１１０が眼に挿入された後で眼の球面収差が増大して近方視力を向上させるように選択される。凸状前面２１０の曲率半径ｒａ及び凹状後面２２０の曲率半径ｒｐは、眼内レンズ１１０の形状係数（「ｑ」で表される）の絶対値が大きい値をもつように選択される。形状係数「ｑ」の値は、次式によって与えられる：
ｑ＝（ｒｐ＋ｒａ）／（ｒｐ−ｒａ）      （１）
【００２６】
また、凸状前面２１０の曲率半径ｒａ及び凹状後面２２０の曲率半径ｒｐは、眼内レンズ１１０の厚さを最小限に抑え、それでも所望のレベルの正の球面収差が得られるように選択される。
【００２７】
曲率半径ｒａ及びｒｐの値は、有水晶体眼又は偽水晶体眼が、手術後に、瞳孔直径約４ミリメートル（４．０ｍｍ）で好ましくは１ジオプタ（１．０Ｄ）を超える縦の球面収差を有するように選択される。眼内レンズ１１０の球面収差の値は、形状因子（「ｑ」）、レンズ材料の屈折率（「ｎ」）、眼内レンズ１１０の厚さ、設置時の長さ（ｐｏｓｉｔｉｏｎ  ｌｅｎｇｔｈ）、近軸焦点距離、及び瞳孔の半径に関係する標準的な光学方程式から決定される。或いは、光線追跡法、標準的なコンピュータ光学プログラム、又は収差計測定によって、眼内レンズ１１０の球面収差を決定することもできる。
【００２８】
ここで、眼内レンズ１１０の有利な一実施例について説明する。眼内レンズ１１０は、眼の中にあるときに１０ジオプタ（１０．０Ｄ）〜３０ジオプタ（３０．０Ｄ）の間の有効中央屈折力を有し、また、光軸から２ミリメートル（２．０ｍｍ）のところで少なくとも１ジオプタ（１．０Ｄ）の正の球面収差を有する。これは、所望の量の球面収差を生み出すためにプラス１．５以上の形状係数「ｑ」（ｑ≧＋１．５）を有する眼内レンズ１１０によって達成することができる。
【００２９】
例えば、屈折率ｎ＝１．４９、前面の曲率半径ｒａ＝３．１２ミリメートル、後面の曲率半径ｒｐ＝４．２ミリメートル、中央の厚さ０．６２ミリメートル、光学部の直径５．０ミリメートルの眼内レンズ１１０は、瞳孔が直径４．０ミリメートルのときに、眼の縦の球面収差を１ジオプタ（１．０Ｄ）よりも大きく増大させることになる。
【００３０】
図３は、本発明の方法の有利な一実施例の諸ステップを示すフローチャートである。初めに、前述した種類のうちの１つの生物学的に適しているレンズ材料を提供する（ステップ３１０）。次いで、正の曲率半径ｒａをもつ、レンズ材料の凸状前面を形成する（ステップ３２０）。次いで、正の曲率半径ｒｐをもつ、レンズ材料の凹状後面を形成して、眼内レンズを形成する（ステップ３３０）。
【００３１】
次いで、眼内レンズに支持部を設けて、眼内レンズ・アセンブリを形成する（ステップ３４０）。支持部を眼内レンズに連結された別個の要素にすることができ、又は、眼内レンズ・アセンブリを形成する単一体の一部として、支持部を眼内レンズと共に形成することができる。次いで、眼内レンズ・アセンブリを水晶体の代替として眼の中に設置する（ステップ３５０）。次いで、眼内レンズによって眼に正の球面収差を与えて、眼の近方視力を向上させる（ステップ３６０）。
【００３２】
本発明を例示的な一実施例によって説明したが、当業者には様々な変更及び修正が示唆されよう。本発明は、添付の特許請求の範囲内に入る変更及び修正を包含するものとする。
【図面の簡単な説明】
【００３３】
【図１】本発明の眼内レンズ・アセンブリの有利な一実施例の平面図である。
【図２】図１に示した眼内レンズ・アセンブリの有利な実施例の側面図である。
【図３】本発明の方法の有利な一実施例の諸ステップを示すフローチャートである。
【図１】
2007520322.tif 000003
【図２】
2007520322.tif 000004
【図３】
2007520322.tif 000005
【国際調査報告】
2007520322.tif 000006
2007520322.tif 000007
2007520322.tif 000008
2007520322.tif 000009
2007520322.tif 000010